(57)【要約】【課題】パネル部材とその周囲の部材との間で、互いの下端部の上下位置を統一することにより、統一感を高めて意匠性を向上させることのできる、間仕切り構造を提供する。【解決手段】間仕切り構造は、床面Ｆに立設される面状のガラスパネルＧと、ガラスパネルＧと隣接して床面Ｆに立設される扉と、を備え、扉は、ガラスパネルＧの側辺に連結される戸当り枠３と、戸当り枠３に対して開閉可能に設けられる引戸７と、を備え、ガラスパネルＧの下端辺の上下位置と、戸当り枠３におけるガラスパネルＧの厚さ方向に表出する前側膨出部３１の前面の下端部の上下位置とが一致する。【選択図】図１
2020204198.tif 000002
【特許請求の範囲】
【請求項１】
床面に立設される面状のパネル部材と、前記パネル部材と隣接して前記床面に立設される扉と、を備える間仕切り構造であって、
前記扉は、前記パネル部材の側辺に連結される枠体と、前記枠体に対して開閉可能に設けられる扉本体と、を備え、
前記パネル部材の下端辺の上下位置と、前記枠体における前記パネル部材の厚さ方向に表出する面の下端部の上下位置とが一致する、間仕切り構造。
【請求項２】
前記パネル部材の下端辺の上下位置と、前記扉本体の下端辺の上下位置とが一致する、請求項１に記載の間仕切り構造。
【請求項３】
前記枠体は、前記扉の閉塞時において前記扉本体の戸先側又は戸尻側の端部と対向する枠本体部と、前記パネル部材の厚さ方向に前記枠本体部から前記枠体の長手方向に沿って膨出する膨出部と、が形成され、
前記膨出部の膨出側端面は、前記パネル部材の表面と面一になるように形成され、
前記パネル部材の下端辺の上下位置と、前記枠体における前記膨出部の前記膨出側端面の下端部の上下位置とが一致する、請求項１又は請求項２に記載の間仕切り構造。
【請求項４】
前記枠体は、長手方向と直交する断面視において複数の中空形状を有する形材であって、一の前記中空形状が前記枠本体部として形成され、他の前記中空形状が前記膨出部として形成される、請求項３に記載の間仕切り構造。
【請求項５】
床面に立設される面状のパネル部材と、前記パネル部材と隣接して前記床面に立設されて前記パネル部材に対して前記パネル部材と異なる方向に面状の間仕切り部材を連結するポスト部材と、を備える間仕切り構造であって、
前記パネル部材の下端辺の上下位置と、前記ポスト部材における前記パネル部材の厚さ方向に表出する面の下端部の上下位置とが一致する、間仕切り構造。
【請求項６】
前記パネル部材と前記ポスト部材のうち少なくとも何れか一方と隣接して前記床面に立設される扉を備え、
前記扉は、前記パネル部材又は前記ポスト部材に連結される枠体と、前記枠体に対して開閉可能に設けられる扉本体と、を備え、
前記パネル部材の前記下端辺の上下位置と、前記ポスト部材における前記下端部の上下位置と、前記枠体における前記厚さ方向に表出する面の下端部の上下位置とが一致する、請求項５に記載の間仕切り構造。
【請求項７】
前記パネル部材の下端辺の上下位置と、前記扉本体の下端辺の上下位置とが一致する、請求項６に記載の間仕切り構造。
【請求項８】
前記ポスト部材は、前記パネル部材が連結されるポスト本体部と、前記パネル部材の厚さ方向に前記ポスト本体部から前記ポスト部材の長手方向に沿って膨出するカバー部と、が形成され、
前記カバー部の膨出側端面は、前記パネル部材の表面と面一になるように形成され、
前記パネル部材の下端辺の上下位置と、前記ポスト部材における前記カバー部の前記膨出側端面の下端部の上下位置とが一致する、請求項５から請求項７の何れか一項に記載の間仕切り構造。
【請求項９】
前記ポスト部材は、長手方向と直交する断面視において複数の中空形状を有する形材であって、一の前記中空形状が前記ポスト本体部として形成され、他の前記中空形状が前記カバー部として形成される、請求項８に記載の間仕切り構造。
【請求項１０】
前記ポスト部材における前記厚さ方向に表出する面の上端部の上下位置と、前記枠体における前記厚さ方向に表出する面の上端部の上下位置とが一致する、請求項６から請求項９の何れか一項に記載の間仕切り構造。
【請求項１１】
前記パネル部材の上端辺の上下位置と、前記ポスト部材における前記上端部の上下位置とが一致する、請求項５から請求項１０の何れか一項に記載の間仕切り構造。
【発明の詳細な説明】
【技術分野】
【０００１】
本発明は間仕切り構造に関し、詳細にはパネル部材に対して扉又はポスト部材が隣接して設けられる間仕切り構造に関するものである。
【背景技術】
【０００２】
従来、パネル部材、扉、ポスト部材等で構成された間仕切り構造が用いられている（例えば、特許文献１を参照）。特許文献１には、複数のポスト部材の間に、間仕切りパネル、ドア、及び、補助パネル板等を設けた間仕切り構造が記載されている。
【先行技術文献】
【特許文献】
【０００３】
【特許文献１】特開２０１２−１３２２９６号公報
【発明の概要】
【発明が解決しようとする課題】
【０００４】
上記特許文献の如く構成された間仕切り構造においては、パネル部材とその周囲の部材との間で、互いの下端部の上下位置が異なる場合、間仕切り構造における統一感が損なわれるため、意匠性が悪くなっていた。
【０００５】
本発明は以上の如き状況に鑑みてなされたものであり、本発明が解決しようとする課題は、パネル部材とその周囲の部材との間で、互いの下端部の上下位置を統一することにより、統一感を高めて意匠性を向上させることのできる、間仕切り構造を提供することである。
【課題を解決するための手段】
【０００６】
本発明は、上記課題を解決するために、以下に構成する間仕切り構造を提供する。
【０００７】
（１）床面に立設される面状のパネル部材と、前記パネル部材と隣接して前記床面に立設される扉と、を備える間仕切り構造であって、前記扉は、前記パネル部材の側辺に連結される枠体と、前記枠体に対して開閉可能に設けられる扉本体と、を備え、前記パネル部材の下端辺の上下位置と、前記枠体における前記パネル部材の厚さ方向に表出する面の下端部の上下位置とが一致する、間仕切り構造。
【０００８】
（２）前記パネル部材の下端辺の上下位置と、前記扉本体の下端辺の上下位置とが一致する、（１）に記載の間仕切り構造。
【０００９】
（３）前記枠体は、前記扉の閉塞時において前記扉本体の戸先側又は戸尻側の端部と対向する枠本体部と、前記パネル部材の厚さ方向に前記枠本体部から前記枠体の長手方向に沿って膨出する膨出部と、が形成され、前記膨出部の膨出側端面は、前記パネル部材の表面と面一になるように形成され、前記パネル部材の下端辺の上下位置と、前記枠体における前記膨出部の前記膨出側端面の下端部の上下位置とが一致する、（１）又は（２）に記載の間仕切り構造。
【００１０】
（４）前記枠体は、長手方向と直交する断面視において複数の中空形状を有する形材であって、一の前記中空形状が前記枠本体部として形成され、他の前記中空形状が前記膨出部として形成される、（３）に記載の間仕切り構造。
【００１１】
（５）床面に立設される面状のパネル部材と、前記パネル部材と隣接して前記床面に立設されて前記パネル部材に対して前記パネル部材と異なる方向に面状の間仕切り部材を連結するポスト部材と、を備える間仕切り構造であって、前記パネル部材の下端辺の上下位置と、前記ポスト部材における前記パネル部材の厚さ方向に表出する面の下端部の上下位置とが一致する、間仕切り構造。
【００１２】
（６）前記パネル部材と前記ポスト部材のうち少なくとも何れか一方と隣接して前記床面に立設される扉を備え、前記扉は、前記パネル部材又は前記ポスト部材に連結される枠体と、前記枠体に対して開閉可能に設けられる扉本体と、を備え、前記パネル部材の前記下端辺の上下位置と、前記ポスト部材における前記下端部の上下位置と、前記枠体における前記厚さ方向に表出する面の下端部の上下位置とが一致する、（５）に記載の間仕切り構造。
【００１３】
（７）前記パネル部材の下端辺の上下位置と、前記扉本体の下端辺の上下位置とが一致する、（６）に記載の間仕切り構造。
【００１４】
（８）前記ポスト部材は、前記パネル部材が連結されるポスト本体部と、前記パネル部材の厚さ方向に前記ポスト本体部から前記ポスト部材の長手方向に沿って膨出するカバー部と、が形成され、前記カバー部の膨出側端面は、前記パネル部材の表面と面一になるように形成され、前記パネル部材の下端辺の上下位置と、前記ポスト部材における前記カバー部の前記膨出側端面の下端部の上下位置とが一致する、（５）から（７）の何れか一に記載の間仕切り構造。
【００１５】
（９）前記ポスト部材は、長手方向と直交する断面視において複数の中空形状を有する形材であって、一の前記中空形状が前記ポスト本体部として形成され、他の前記中空形状が前記カバー部として形成される、（８）に記載の間仕切り構造。
【００１６】
（１０）前記ポスト部材における前記厚さ方向に表出する面の上端部の上下位置と、前記枠体における前記厚さ方向に表出する面の上端部の上下位置とが一致する、（６）から（９）の何れか一に記載の間仕切り構造。
【００１７】
（１１）前記パネル部材の上端辺の上下位置と、前記ポスト部材における前記上端部の上下位置とが一致する、（５）から（１０）の何れか一に記載の間仕切り構造。
【発明の効果】
【００１８】
以上における本発明に係る間仕切り構造は、以下に示す効果を奏する。
【００１９】
（１）の構成によれば、パネル部材と扉の枠体との間で、互いの下端部の上下位置を統一することにより、間仕切り構造の統一感を高めて意匠性を向上させることができる。
【００２０】
（２）の構成によれば、パネル部材と扉本体との間で、互いの下端部の上下位置を統一することにより、間仕切り構造の統一感を高めて意匠性をさらに向上させることができる。
【００２１】
（３）の構成によれば、パネル部材と枠体の膨出部とを面一にするとともに、互いの下端部の上下位置を統一することにより、間仕切り構造の統一感を高めて意匠性をさらに向上させることができる。
【００２２】
（４）の構成によれば、一の中空形状を構成する壁により床との隙間を塞ぐことができる。
【００２３】
（５）の構成によれば、パネル部材とポスト部材との間で、互いの下端部の上下位置を統一することにより、間仕切り構造の統一感を高めて意匠性を向上させることができる。
【００２４】
（６）の構成によれば、パネル部材と扉の枠体との間で、互いの下端部の上下位置を統一することにより、間仕切り構造の統一感を高めて意匠性をさらに向上させることができる。
【００２５】
（７）の構成によれば、パネル部材と扉本体との間で、互いの下端部の上下位置を統一することにより、間仕切り構造の統一感を高めて意匠性をさらに向上させることができる。
【００２６】
（８）の構成によれば、パネル部材とポスト部材のカバー部とを面一にするとともに、互いの下端部の上下位置を統一することにより、間仕切り構造の統一感を高めて意匠性をさらに向上させることができる。
【００２７】
（９）の構成によれば、一の中空形状を構成する壁により床との隙間を塞ぐことができる。
【００２８】
（１０）の構成によれば、パネル部材と扉の枠体との間で、互いの上端部の上下位置を統一することにより、間仕切り構造の統一感を高めて意匠性をさらに向上させることができる。
【００２９】
（１１）の構成によれば、パネル部材とポスト部材との間で、互いの上端部の上下位置を統一することにより、間仕切り構造の統一感を高めて意匠性をさらに向上させることができる。
【図面の簡単な説明】
【００３０】
【図１】本実施形態に係る間仕切り構造を示した正面図。
【図２】図１中のＡ１部拡大図。
【図３】図１中のＸ−Ｘ線断面図。
【図４】（ａ）及び（ｂ）はそれぞれ、戸当り枠を示した底面図及び下方斜視図。
【図５】図１中のＡ２部拡大図。
【図６】図１中のＹ−Ｙ線断面図。
【図７】開き戸及び戸先枠の下方斜視図。
【図８】（ａ）及び（ｂ）はそれぞれ、戸先枠を示した底面図及び下方斜視図。
【図９】図１中のＡ３部拡大図。
【図１０】図１中のＺ−Ｚ線断面図。
【図１１】（ａ）及び（ｂ）はそれぞれ、ポスト部材を示した底面図及び下方斜視図。
【図１２】（ａ）及び（ｂ）はそれぞれ、変形例に係るポスト部材を示した底面図及び下方斜視図。
【図１３】図１中のＡ４部拡大図。
【発明を実施するための形態】
【００３１】
［全体構成］
以下では図１から図１３を用いて、本実施形態に係る間仕切り構造について説明する。本実施形態に係る間仕切り構造は図１に示す如く、床面Ｆと天井Ｃとの間の同一面上に設けられた引戸７、戸袋８、開き戸１７、ガラスパネルＧ、第一パネルＰ１、及び、第二パネルＰ２等を備える。
【００３２】
引戸７と開き戸１７とはそれぞれ、本発明に係る扉を構成する扉本体であり、本実施形態においては何れもダブルガラスによるガラス戸として構成される。また、ガラスパネルＧ、第一パネルＰ１、及び、第二パネルＰ２は本発明に係る面状のパネル部材であり、第一パネルＰ１と第二パネルＰ２とはスチール製のパネル部材である。
【００３３】
図１に示す如く、間仕切り構造は床面Ｆに設けられる巾木部材１と、天井Ｃに設けられる天レール２とを備える。巾木部材１は、床面Ｆのうち、引戸７と開き戸１７が設けられていない、戸袋８、ガラスパネルＧ、第一パネルＰ１、及び、第二パネルＰ２を設けた箇所に敷設される。
【００３４】
［第一コーナー部Ａ１］
次に、図１から図４を用いて、図１中の第一コーナー部Ａ１に関連する箇所について説明する。図２は図１中の第一コーナー部Ａ１の拡大図、図３は図１中のＸ−Ｘ線断面図である。
【００３５】
図１に示す如く、天レール２には上枠４が固定される。上枠４は、戸袋８を構成する戸袋ガラス板８２・８２、及び、ガラスパネルＧを構成するガラス板ＧＰの上端部を保持する。引戸７は、図示しないレールに吊下されて開閉可能とされる。図２に示す如く、引戸７は、上部に設けられる上側枠材（不図示）と、下部に設けられる下側枠材７５と、戸先側の側部に設けられる戸先側枠材７６と、戸尻側の側部に設けられる戸尻側枠材７７（図３を参照）と、を備える。
【００３６】
そして、引戸７は、これらの枠材に、矩形の面材である二枚の引戸ガラス板７４・７４が外周辺を保持されている。このように、引戸７は引戸ガラス板７４・７４を備えたダブルガラスとして構成される。なお、引戸７を一枚の引戸ガラス板７４を備えるシングルガラスの構成とすることも可能である。
【００３７】
引戸７は、下端部に下側シール部材７９を備える。下側シール部材７９は下側枠材７５の下端部に下側枠材７５の長手方向に沿って設けられることにより、下側枠材７５の下端部と床面Ｆとの隙間を塞ぐ。下側シール部材７９に形成された樹脂製の摺接部材が床面Ｆと常に摺接することにより、引戸７の下方における音漏れ及び光漏れが防止される。
【００３８】
戸袋８は開状態の引戸７を収容する。戸袋８は、天レール２に固定される上枠４と、側部に設けられる戸袋枠８０と、巾木部材１に固定される下枠８１と、を備える。そして、これらの上枠４、戸袋枠８０、及び、下枠８１に、矩形の面材である二枚の戸袋ガラス板８２・８２が外周辺を保持されている。なお、戸袋８を片寄せシングルガラスとして一枚の戸袋ガラス板８２を備える構成とすることも可能である。
【００３９】
上記の如く構成された間仕切り構造において、引戸７が戸袋８の内部でスライドする際に、引戸７の下端部が戸袋８の内部に設けられた第一ガイドレール８３ａ及び第二ガイドレール８３ｂ（図３を参照）に沿って摺動する。このように、第一ガイドレール８３ａ及び第二ガイドレール８３ｂにより引戸７がガイドされる。
【００４０】
上記の如く構成された間仕切り構造において、引戸７がレールに沿ってスライドし、戸袋８から進退することにより、引戸７が開閉される。本実施形態においては、引戸７が図１における左方向にスライドした状態を引戸７の閉状態、右方向にスライドした状態を引戸７の開状態として記載する。
【００４１】
図１から図３に示す如く、引戸７の戸先側には戸当り枠３が設けられる。即ち、扉本体である引戸７と、枠体である戸当り枠３と、により、本発明に係る扉の一実施形態である引戸構造が構成されている。引戸７が閉状態にあるときは、引戸７の戸先側枠材７６（より詳細には、戸先側枠材７６に設けられた戸先側シール部材７８）が戸当り枠３に当接する。また、引戸７の戸先側端部には、取手９１及び鍵９２が取り付けられている。なお、引戸７、戸当り枠３、及び、ガラスパネルＧは、図３に示す如く前後方向に対称形状となるように構成されている。間仕切り構造には、戸当り枠３の上端部と戸袋枠８０の上端部とを連結するようにカバー部材５が設けられる。
【００４２】
図２及び図３に示す如く、戸当り枠３は支柱９に固定される。支柱９は巾木部材１と天レール２との間に立設される部材である。支柱９における戸当り枠３の反対側にはガラスパネルＧが設けられる。即ち、ガラスパネルＧは床面Ｆに立設されている。そして、戸当り枠３と引戸７とを備える扉である引戸構造がガラスパネルＧと隣接して床面Ｆに立設されている。
【００４３】
図１に示す如く、戸当り枠３に隣接されるガラスパネルＧは、下側にガラス下枠Ｇｄ、側部にガラス枠Ｇｓ、上側にガラス上枠Ｇｕが設けられている。そして、これらの枠Ｇｄ・Ｇｓ・Ｇｕにガラス板ＧＰが保持されている。ガラスパネルＧは、ガラス枠Ｇｓが支柱９に組付けられることにより支柱９に固定される。
【００４４】
本実施形態に係る間仕切り構造においては図３及び図４に示す如く、戸当り枠３は平面断面視で三つの領域が形成されている。即ち、戸当り枠３には、前後方向中央部に矩形状に形成された枠本体部３０が形成される。図３に示す如く、枠本体部３０は、引戸７の閉塞時において引戸７の戸先側の端部と対向する。また、戸当り枠３には、枠本体部３０から前方に膨出する前側膨出部３１と、枠本体部３０から後方に膨出する後側膨出部３２と、が形成される。換言すれば、戸当り枠３の前面には、ガラスパネルＧの厚さ方向（図１における紙面手前方向）に表出する前側膨出部３１が、戸当り枠３の長手方向に沿って形成されている。また、戸当り枠３の後面には、ガラスパネルＧの厚さ方向（図１における紙面奥行方向）に表出する後側膨出部３２が、戸当り枠３の長手方向に沿って形成されている。
【００４５】
図４に示す如く、戸当り枠３は長手方向と直交する断面視（平面断面視）において複数の中空形状を有する形材である。詳細には、戸当り枠３は前後方向に三分割されて、それぞれが中空形状として形成される。即ち、戸当り枠３の前後方向中央部には、閉じられた中空形状として枠本体部３０が形成されている。また、枠本体部３０の前側には、一部が切り欠かれた中空形状が前側膨出部３１として形成されている。また、枠本体部３０の後側には、一部が切り欠かれた中空形状が後側膨出部３２として形成されている。なお、前側膨出部３１及び後側膨出部３２を、閉じられた筒状の中空形状として形成することも可能である。
【００４６】
本実施形態において、戸当り枠３における枠本体部３０の下部には、巾木部材１を挿入可能な被挿入口３３が形成される。図１に示す如く、戸当り枠３の被挿入口３３に巾木部材１の端部が挿入されることにより、巾木部材１と戸当り枠３との間に隙間が生じることができる。これにより、巾木部材１の端部と戸当り枠３との間で光漏れや音漏れが生じることを防いでいる。
【００４７】
また、図２及び図４（ｂ）に示す如く、戸当り枠３の下端部は、第二高さＨ２の長さに相当する部分において、水平断面視における一部が除去されている。詳細には、図４（ａ）中の斜線部分に示す如く、水平断面視において前側膨出部３１が形成された部分、及び、後側膨出部３２が形成された部分が除去される。本実施形態において、前側膨出部３１の下端部と後側膨出部３２の下端部とは同じ第二高さＨ２になるように形成される。
【００４８】
本実施形態に係る間仕切り構造によれば、パネル部材であるガラスパネルＧの下端辺の上下位置と、枠体である戸当り枠３におけるガラスパネルＧの厚さ方向（図２における紙面前後方向）に表出する面である前側膨出部３１の下端部の上下位置とが一致するように形成されている。詳細には図２に示す如く、ガラスパネルＧにおけるガラス下枠Ｇｄの下端部と床面Ｆとの幅寸法である第一高さＨ１と、戸当り枠３における前側膨出部３１の下端部と床面Ｆとの幅寸法である第二高さＨ２とが一致するように形成されているのである。
【００４９】
なお、本明細書において「（上下位置が）一致する」の記載は、間仕切り構造の使用者が目視した際に同一の上下位置であると違和感なく感じるレベルであるという意味で用いている（以下についても同様）。具体的に本実施形態においては、「一致する」の範囲を±２ｍｍ以内としている。このように、本実施形態に係る間仕切り構造においては、ガラスパネルＧにおけるガラス下枠Ｇｄの下端部と戸当り枠３における前側膨出部３１の下端部の高さを統一することにより、意匠性を向上させることを可能としている。
【００５０】
また、本実施形態に係る間仕切り構造によれば、パネル部材であるガラスパネルＧの下端辺の上下位置と、扉本体である引戸７の下端辺の上下位置とが一致するように形成されている。詳細には図２に示す如く、第一高さＨ１と、引戸７における下側枠材７５の下端部と床面Ｆとの幅寸法である第三高さＨ３とが一致するように形成されているのである。このように、本実施形態に係る間仕切り構造においては、ガラスパネルＧにおけるガラス下枠Ｇｄの下端部と引戸７における下側枠材７５の下端部の高さを統一することにより、意匠性を向上させることを可能としている。
【００５１】
また、本実施形態に係る間仕切り構造によれば、図３に示す如く、前側膨出部３１の膨出側端面である前面は、ガラスパネルＧの表面であるガラス枠Ｇｓの前面と面一になるように形成されている。そして、前述の如く、ガラスパネルＧにおけるガラス下枠Ｇｄの下端部と戸当り枠３における前側膨出部３１の下端部の高さを統一している。このように、本実施形態に係る間仕切り構造においては、前側膨出部３１とガラスパネルＧとの間で前面及び下端部の位置を統一することにより、意匠性をさらに向上させることを可能としている。なお、ガラスパネルＧにおいて、ガラス枠Ｇｓよりガラス板ＧＰの表面が前後方向に大きく突出する場合は、ガラス板ＧＰの表面と前側膨出部３１及び後側膨出部３２の膨出側端面とが面一になるよう構成することも可能である。
【００５２】
また、本実施形態において、戸当り枠３は、長手方向と直交する断面視において、一の中空形状が枠本体部３０として形成され、他の中空形状が前側膨出部３１及び後側膨出部３２として形成される。このため、図４（ａ）及び（ｂ）に示す如く、戸当り枠３の下端部において、前側膨出部３１及び後側膨出部３２の下方が除去されても、枠本体部３０は残存する。これにより、本実施形態に係る間仕切り構造によれば、枠本体部３０が中空形状として残存するため、枠本体部３０を構成する壁により床面Ｆとの隙間を塞ぐことができる。
【００５３】
なお、本実施形態において、戸当り枠３を前後方向に三分割された中空形状として形成したが、他の構成とすることも可能である。例えば、戸当り枠３を、複数の中空又は中実の角材を溶接した態様や、角材に変えてＣ字型やコ字型の材を組み合わせた態様とすることもできる。つまり、間仕切り構造においては、部屋内、部屋外、又は、部屋の内外両方に２重の壁を構成すれば良いため、戸当り枠３において残存する中空部は必ずしも全ての面が閉塞された中空形状である必要はない（後述する戸尻枠１４及び戸先枠１５についても同様）。
【００５４】
［第二コーナー部Ａ２］
次に、図１、及び、図５から図８を用いて、図１中の第二コーナー部Ａ２に関連する箇所について説明する。図５は図１中の第二コーナー部Ａ２の拡大図、図６は図１中のＹ−Ｙ線断面図である。
【００５５】
図１に示す如く、本実施形態に係る間仕切り構造においては、開き戸１７が設けられる。本実施形態において、開き戸１７は前方（図１における紙面手前側）に回動させることにより開放可能に構成されている。
【００５６】
本実施形態に係る間仕切り構造において、戸尻枠１４、戸先枠１５、開き戸上枠１６、及び、開き戸１７は、コーナーポスト１３、及び、パネル部材の一つである第二パネルＰ２の間に設けられる。即ち、間仕切り構造においては、扉本体である開き戸１７と、戸尻枠１４、戸先枠１５、及び、開き戸上枠１６と、により、本発明に係る扉の一実施形態である開き戸構造が構成される。
【００５７】
コーナーポスト１３及び第二パネルＰ２は床面Ｆに固定した巾木部材１と、天井Ｃに固定した天レール２と、の間に立設されている。本実施形態において、開き戸１７にはコーナーポスト１３を介して第一パネルＰ１が連結される。また、第二パネルＰ２の隣にはガラスパネルＧが設けられる。
【００５８】
コーナーポスト１３は、開き戸１７又はパネル部材（第一・第二パネルＰ１・Ｐ２及びガラスパネルＧ）等に対して、これらと異なる方向（本実施形態においては図１０に示す如く直交する方向）に他の面状の間仕切り部材（引戸７、開き戸１７、ガラスパネルＧ、第一・第二パネルＰ１・Ｐ２等、以下同じ）を連結する。
【００５９】
図１及び図１０に示す如く、コーナーポスト１３の左側面には戸尻枠１４が固定される。また、図１及び図６に示す如く、第二パネルＰ２の右側面には戸先枠１５が固定される。即ち、戸尻枠１４及び戸先枠１５は床面Ｆと天井Ｃとの間に所定間隔で立設されている。戸尻枠１４及び戸先枠１５は、本発明に係る枠体の一実施形態である。戸尻枠１４及び戸先枠１５の上端部には、互いを連結する開き戸上枠１６が固定されている。なお、戸尻枠１４と戸先枠１５とは左右対称形状であり、その構成が共通している。
【００６０】
なお、本実施形態において枠体である戸尻枠１４及び戸先枠１５は、パネル部材である第二パネルＰ２及びポスト部材であるコーナーポスト１３に対して直接的に連結されているが、他の構成とすることも可能である。即ち、図６に示すガラスパネルＧと第二パネルＰ２、及び、図１０に示すコーナーポスト１３と第二パネルＰ２の如く、戸尻枠１４及び／又は戸先枠１５を、支柱９を介することにより間接的にパネル部材又はポスト部材と連結することも可能である。
【００６１】
また、戸尻枠１４及び／又は戸先枠１５を、床面Ｆと天井Ｃとの間の一部に立設する構成とすることもできる。即ち、床面Ｆと天井Ｃとの間に支柱（図６に示す支柱９を参照）を立設し、この支柱に対して天井Ｃまでは到達しない戸尻枠１４及び／又は戸先枠１５を固定する構成とすることも可能である。この場合、戸尻枠１４及び／又は戸先枠１５の上側に欄間パネル等を設けることができる。
【００６２】
図１及び図５に示す如く、開き戸１７の隣には第二パネルＰ２が設けられる。具体的には図６に示す如く、戸先枠１５と、戸先枠１５から所定間隔で巾木部材１と天レール２との間に立設された支柱９と、における互いに対向する面に係止部材９ａ・９ａが固定される。そして、係止部材９ａ・９ａに対して、第二パネルＰ２の裏面に形成された被係止部Ｐａ・Ｐａ（より具体的には、被係止部Ｐａに形成された図示しない係止孔）を係止する。これにより、二枚の第二パネルＰ２・Ｐ２が戸先枠１５及び支柱９に対して前後両面に固定される。換言すれば、戸先枠１５には開き戸１７と隣接するパネル部材である第二パネルＰ２が固定される。
【００６３】
図６に示す如く、戸先枠１５は平面断面視で三つの領域が形成されている。即ち、戸先枠１５には、前後方向中央部に矩形状に形成された枠本体部５０が形成される。図６に示す如く、枠本体部５０は、開き戸１７の閉塞時において開き戸１７の戸先側の端部と対向する。また、戸先枠１５には、枠本体部５０から前方に膨出する前側膨出部５１と、枠本体部５０から後方に膨出する後側膨出部５２と、が形成される。換言すれば、戸先枠１５の前面には、第二パネルＰ２の厚さ方向（図１における紙面手前方向）に表出する前側膨出部５１が、戸先枠１５の長手方向に沿って形成されている。また、戸先枠１５の後面には、第二パネルＰ２の厚さ方向（図１における紙面奥行方向）に表出する後側膨出部５２が、戸先枠１５の長手方向に沿って形成されている。
【００６４】
図６に示す如く、戸先枠１５は長手方向と直交する断面視（平面断面視）において複数の閉じられた中空形状を有する形材である。詳細には、戸先枠１５は前後方向に三分割されて、それぞれが閉じられた中空形状として形成される。そして、前後方向中央部の中空形状が枠本体部５０として、前側の中空形状が前側膨出部５１として、後側の中空形状が後側膨出部５２として形成されている。
【００６５】
図６に示す如く、支柱９は平面断面視で矩形状に形成されている。また、戸先枠１５において係止部材９ａが固定される部分である枠本体部５０は平面断面視で矩形状に形成されている。そして、戸先枠１５における枠本体部５０は、支柱９と同じ機能を有するように形成される。即ち、支柱９の前後幅と枠本体部５０の前後幅とは同じ寸法で形成される。このため、支柱９において第二パネルＰ２の被係止部Ｐａが当接する面（前面又は後面）と、枠本体部５０において第二パネルＰ２の被係止部Ｐａが当接する面（前面又は後面）とは、同一面となるように形成される。
【００６６】
また、図６に示す如く、前側膨出部５１及び後側膨出部５２の前後幅は、第二パネルＰ２の前後幅と同じ寸法で形成されている。即ち、前側膨出部５１及び後側膨出部５２は、それぞれの前面及び後面（膨出側端面）が隣接するパネル部材の表面と面一になるように、枠本体部５０から膨出して形成されている。
【００６７】
なお、開き戸１７に隣接するパネル部材として、スチール製のパネルである第二パネルＰ２ではなく、ガラスパネルＧを採用することも可能である。そして、開き戸１７とガラスパネルＧとが隣接する場合は、ガラスパネルＧの表面であるガラス枠Ｇｓの表面と、戸先枠１５における前側膨出部５１及び後側膨出部５２の膨出側端面とが面一になるように構成される。なお、ガラスパネルＧにおいて、ガラス枠Ｇｓよりガラス板ＧＰの表面が前後方向に大きく突出する場合は、ガラス板ＧＰの表面と前側膨出部５１及び後側膨出部５２の膨出側端面とが面一になるよう構成することも可能である。
【００６８】
図１に示す如く、開き戸１７はヒンジ１８ａ・１８ｂを介して、戸尻枠１４及び開き戸上枠１６に回動可能に組付けられている。具体的には、開き戸１７の戸尻側上端部がヒンジ１８ａによって開き戸上枠１６の右側端部に連結されている。また、開き戸１７の戸尻側下端部がヒンジ１８ｂによって戸尻枠１４の下端部に連結されている。このように、開き戸１７は戸尻枠１４の側に回動中心が配置され、戸尻枠１４と戸先枠１５との間で開閉可能とされる。そして、図１に示す閉塞状態から開き戸１７を前方に回動させることにより、戸尻枠１４、戸先枠１５、及び、開き戸上枠１６で囲まれた空間が開放される。
【００６９】
図１に示す如く、開き戸１７は、戸先側枠材１７１、戸尻側枠材１７２、上側枠材１７３、及び、下側枠材１７４を備える。そして、開き戸１７はこれらの四本の枠材に、矩形の面材である二枚の開き戸ガラス板１７５・１７５が外周辺を保持されて構成されている。このように、開き戸１７は開き戸ガラス板１７５・１７５を備えたダブルガラスとして構成される。なお、開き戸１７を一枚の開き戸ガラス板１７５を備えるシングルガラスの構成とすることも可能である。開き戸１７の戸先側における上下方向中央部のやや下側には、開き戸１７を開閉する際に用いるドアノブ１７６が設けられている。
【００７０】
開き戸１７は下端部にドアボトム１７７を備える。ドアボトム１７７は下側枠材１７４の下端部に下側枠材１７４の長手方向に沿って設けられることにより、下側枠材１７４の下端部と床面Ｆとの隙間を塞ぐシール部材である。ドアボトム１７７に形成された樹脂製の摺接部材が床面Ｆと常に摺接することにより、開き戸１７の下方における音漏れ及び光漏れが防止される。なお、ドアボトム１７７を、開き戸１７の開放時は床面Ｆから離間させるとともに、開き戸１７を閉めると自動的に下方に変位して開き戸１７と床面Ｆとの隙間を塞ぐ構成とすることも可能である。
【００７１】
戸先側枠材１７１及び戸尻側枠材１７２は、開き戸ガラス板１７５の長手方向に沿って設けられる第一の組を構成する二本の長枠材である。また、上側枠材１７３及び下側枠材１７４は、開き戸ガラス板１７５の短手方向に沿って設けられる第二の組を構成する二本の短枠材である。即ち、開き戸１７は、二組の互いに対向する枠材（戸先側枠材１７１と戸尻側枠材１７２、及び、上側枠材１７３と下側枠材１７４）を備えているのである。
【００７２】
また、図７及び図８（ｂ）に示す如く、戸先枠１５の下端部は、第五高さＨ５の長さに相当する部分において、水平断面視における一部が除去されている。詳細には、図８（ａ）中の斜線部分に示す如く、水平断面視において前側膨出部５１が形成された部分、及び、後側膨出部５２が形成された部分が除去される。本実施形態において、前側膨出部５１の下端部と後側膨出部５２の下端部とは同じ第五高さＨ５になるように形成される。
【００７３】
本実施形態に係る間仕切り構造によれば、パネル部材である第二パネルＰ２の下端辺の上下位置と、枠体である戸先枠１５における第二パネルＰ２の厚さ方向（図５における紙面前後方向）に表出する面である前側膨出部５１の下端部の上下位置とが一致するように形成されている。詳細には図５に示す如く、第二パネルＰ２の下端部と床面Ｆとの幅寸法である第四高さＨ４と、戸先枠１５における前側膨出部５１の下端部と床面Ｆとの幅寸法である第五高さＨ５とが一致するように形成されているのである。
【００７４】
このように、本実施形態に係る間仕切り構造においては、第二パネルＰ２の下端部と戸先枠１５における前側膨出部５１の下端部の高さを統一することにより、意匠性を向上させることを可能としている。
【００７５】
また、本実施形態に係る間仕切り構造によれば、パネル部材である第二パネルＰ２の下端辺の上下位置と、扉本体である開き戸１７の下端辺の上下位置とが一致するように形成されている。詳細には図５に示す如く、第四高さＨ４と、開き戸１７における下側枠材１７４の下端部と床面Ｆとの幅寸法である第六高さＨ６とが一致するように形成されているのである。このように、本実施形態に係る間仕切り構造においては、第二パネルＰ２の下端部と開き戸１７における下側枠材１７４の下端部の高さを統一することにより、意匠性を向上させることを可能としている。
【００７６】
また、本実施形態に係る間仕切り構造によれば、図６に示す如く、前側膨出部５１の膨出側端面である前面は、第二パネルＰ２の前面と面一になるように形成されている。そして、前述の如く、第二パネルＰ２の下端部と戸先枠１５における前側膨出部５１の下端部の高さを統一している。このように、本実施形態に係る間仕切り構造においては、第二パネルＰ２と前側膨出部５１との間で前面及び下端部の位置を統一することにより、意匠性をさらに向上させることを可能としている。
【００７７】
また、本実施形態において、戸先枠１５は、長手方向と直交する断面視において、一の中空形状が枠本体部５０として形成され、他の中空形状が前側膨出部５１及び後側膨出部５２として形成される。このため、図８（ａ）及び（ｂ）に示す如く、戸先枠１５の下端部において、前側膨出部５１及び後側膨出部５２の下方が除去されても、枠本体部５０は残存する。これにより、本実施形態に係る間仕切り構造によれば、枠本体部５０が中空形状として残存するため、枠本体部５０を構成する壁により床面Ｆとの隙間を塞ぐことができる。
【００７８】
［第三コーナー部Ａ３］
次に、図１、及び、図９から図１１を用いて、図１中の第三コーナー部Ａ３に関連する箇所について説明する。図９は図１中の第三コーナー部Ａ３の拡大図、図１０は図１中のＺ−Ｚ線断面図である。
【００７９】
図１に示す如く、本実施形態に係る間仕切り構造においては、床面Ｆに立設される第一パネルＰ１と、第一パネルＰ１と隣接して床面Ｆに立設されるポスト部材であるコーナーポスト１３と、が設けられる。コーナーポスト１３の左側面には戸尻枠１４を介して開き戸１７が連結される。
【００８０】
本実施形態に係る間仕切り構造においては図９及び図１０に示す如く、コーナーポスト１３の右側面には第一パネルＰ１が、後側面にはガラスパネルＧが角筒形状の支柱９を介して連結される。第一パネルＰ１を支柱９に組付ける構成は第二パネルＰ２と同様である。支柱９の下端部には巾木部材１が貫通される。また、本実施形態において、ガラスパネルＧと第一・第二パネルＰ１・Ｐ２とは相互に位置を入れ替えてコーナーポスト１３に固定する構成とすることも可能である。
【００８１】
本実施形態において、コーナーポスト１３は、コーナーポスト１３の本体を構成する矩形断面の角筒状ポスト部材であるポスト本体部１３０と、コーナーポスト１３において前面を被覆するカバー部１３１と、が押出により一体的に成形される。換言すれば、本実施形態においてコーナーポスト１３は、ポスト本体部１３０と、第一パネルＰ１の厚さ方向（図１における紙面手前方向）に表出するカバー部１３１とが一体的に成形されている。なお、ポスト本体部１３０とカバー部１３１とを別に成形し、ポスト本体部１３０にカバー部１３１を組付ける構成とすることも可能である。
【００８２】
図１０に示す如く、コーナーポスト１３は長手方向と直交する断面視（平面断面視）において複数の閉じられた中空形状を有する形材である。詳細には、コーナーポスト１３は前後方向に二分割されて、それぞれが閉じられた中空形状として形成される。そして、前後側の中空形状がポスト本体部１３０として、前側の中空形状がカバー部１３１として形成されている。
【００８３】
また、図９及び図１１（ｂ）に示す如く、コーナーポスト１３の下端部は、第八高さＨ８の長さに相当する部分において、水平断面視における一部が除去されている。詳細には、水平断面視においてカバー部１３１が形成された部分が除去される。このように、本実施形態においてカバー部１３１の下端部は第八高さＨ８になるように形成される。
【００８４】
図１０に示す如く、戸尻枠１４は戸先枠１５と同様に、平面断面視で三つの領域が形成されている。即ち、戸尻枠１４には、前後方向中央部に矩形状に形成された枠本体部４０が形成される。図１０に示す如く、枠本体部４０は、開き戸１７の閉塞時において開き戸１７の戸尻側の端部と対向する。また、戸尻枠１４には、枠本体部４０から前方に膨出する前側膨出部４１と、枠本体部４０から後方に膨出する後側膨出部４２と、が形成される。換言すれば、戸尻枠１４の前面には、第一パネルＰ１の厚さ方向（図１における紙面手前方向）に表出する前側膨出部４１が、戸尻枠１４の長手方向に沿って形成されている。また、戸尻枠１４の後面には、第一パネルＰ１の厚さ方向（図１における紙面奥行方向）に表出する後側膨出部４２が、戸尻枠１４の長手方向に沿って形成されている。
【００８５】
図１０に示す如く、戸尻枠１４は長手方向と直交する断面視（平面断面視）において複数の閉じられた中空形状を有する形材である。詳細には、戸尻枠１４は前後方向に三分割されて、それぞれが閉じられた中空形状として形成される。そして、前後方向中央部の中空形状が枠本体部４０として、前側の中空形状が前側膨出部４１として、後側の中空形状が後側膨出部４２として形成されている。
【００８６】
また、図９に示す如く、戸尻枠１４の下端部は、第七高さＨ７の長さに相当する部分において、水平断面視における一部が除去されている。詳細には、水平断面視において前側膨出部４１が形成された部分、及び、後側膨出部４２が形成された部分が除去される。本実施形態において、前側膨出部４１の下端部と後側膨出部４２の下端部とは同じ第七高さＨ７になるように形成される。
【００８７】
本実施形態に係る間仕切り構造によれば、パネル部材である第一パネルＰ１の下端辺の上下位置と、ポスト部材であるコーナーポスト１３における第一パネルＰ１の厚さ方向（図９における紙面前後方向）に表出する面であるカバー部１３１の下端部の上下位置とが一致するように形成されている。詳細には図９に示す如く、第一パネルＰ１の下端部と床面Ｆとの幅寸法である第九高さＨ９と、コーナーポスト１３におけるカバー部１３１の下端部と床面Ｆとの幅寸法である第八高さＨ８とが一致するように形成されているのである。
【００８８】
このように、本実施形態に係る間仕切り構造においては、第一パネルＰ１の下端部とコーナーポスト１３におけるカバー部１３１の下端部の高さを統一することにより、意匠性を向上させることを可能としている。
【００８９】
また、本実施形態に係る間仕切り構造によれば、パネル部材である第一パネルＰ１の下端辺の上下位置、及び、コーナーポスト１３におけるカバー部１３１の下端部の上下位置と、枠体である戸尻枠１４における第一パネルＰ１の厚さ方向に表出する面である前側膨出部４１の下端部の上下位置と、が一致するように形成されている。詳細には図９に示す如く、第九高さＨ９及び第八高さＨ８と、戸尻枠１４における前側膨出部４１の下端部と床面Ｆとの幅寸法である第七高さＨ７とが一致するように形成されているのである。
【００９０】
このように、本実施形態に係る間仕切り構造においては、第一パネルＰ１の下端部と戸尻枠１４における前側膨出部４１の下端部の高さを統一することにより、意匠性を向上させることを可能としている。
【００９１】
また、本実施形態に係る間仕切り構造によれば、パネル部材である第一パネルＰ１の下端辺の上下位置と、扉本体である開き戸１７の下端辺の上下位置とが一致するように形成されている。詳細には図９に示す如く、第九高さＨ９と、開き戸１７における下側枠材１７４の下端部と床面Ｆとの幅寸法である第六高さＨ６とが一致するように形成されているのである。このように、本実施形態に係る間仕切り構造においては、第一パネルＰ１の下端部と開き戸１７における下側枠材１７４の下端部の高さを統一することにより、意匠性を向上させることを可能としている。
【００９２】
また、本実施形態に係る間仕切り構造によれば、図１０に示す如く、カバー部１３１の膨出側端面である前面は、第一パネルＰ１の前面と面一になるように形成されている。そして、前述の如く、第一パネルＰ１の下端部とコーナーポスト１３におけるカバー部１３１の下端部の高さを統一している。このように、本実施形態に係る間仕切り構造においては、第一パネルＰ１とカバー部１３１との間で前面及び下端部の位置を統一することにより、意匠性をさらに向上させることを可能としている。
【００９３】
また、本実施形態において、コーナーポスト１３は、長手方向と直交する断面視において、一の中空形状がポスト本体部１３０として形成され、他の中空形状がカバー部１３１として形成される。このため、図９に示す如く、コーナーポスト１３の下端部において、カバー部１３１の下方が除去されても、ポスト本体部１３０は残存する。これにより、本実施形態に係る間仕切り構造によれば、ポスト本体部１３０が中空形状として残存するため、ポスト本体部１３０を構成する壁により床面Ｆとの隙間を塞ぐことができる。
【００９４】
本実施形態に係る間仕切り構造は、図１２に示す変形例の如く、コーナーポスト２３で角部を構成することにより、直交する二方向に間仕切り部材を固定することもできる。本変形例において、コーナーポスト２３は、コーナーポスト２３の本体を構成する矩形断面の角筒状ポスト部材であるポスト本体部２３０と、コーナーポスト２３において前面を被覆する第一カバー部２３１と、コーナーポスト２３において右側面を被覆する第二カバー部２３２と、が押出により一体的に成形される。
【００９５】
本変形例に係る間仕切り構造によれば、パネル部材である第一パネルＰ１の下端辺の上下位置と、ポスト部材であるコーナーポスト２３における第一カバー部２３１及び第二カバー部２３２の下端部の上下位置とが一致するように形成されている。このように、本変形例に係る間仕切り構造においても、第一パネルＰ１の下端部とコーナーポスト２３における第一カバー部２３１及び第二カバー部２３２の下端部の高さを統一することにより、意匠性を向上させることを可能としている。
【００９６】
なお、本実施形態に係る間仕切り構造においては図１に示す如く、第一高さＨ１〜第九高さＨ９は全て一致するように構成されている。即ち、本実施形態に係る間仕切り構造においては、引戸７、戸袋８、開き戸１７、ガラスパネルＧ、第一パネルＰ１、及び、第二パネルＰ２の全ての下端部の高さを統一することにより、意匠性を向上させることを可能としている。
【００９７】
また、本実施形態に係る間仕切り構造においては図１に示す如く、ガラスパネルＧのガラス下枠Ｇｄ、引戸７の下側枠材７５、戸袋８の下枠８１、及び、開き戸１７の下側枠材１７４が上下方向に同位置かつ略同一の幅寸法で形成される。なお、本明細書における「略同一」の記載は、引戸構造の使用者が目視した際に同一の幅寸法であると違和感なく感じるレベルであるという意味で用いている。このように、本実施形態における間仕切り構造においては、各部材の下部に設けられる部材における見付寸法を統一することにより、意匠性を向上させることを可能としている。
【００９８】
［第四コーナー部Ａ４］
次に、図１及び図１３を用いて、図１中の第四コーナー部Ａ４に関連する箇所について説明する。図１３は図１中の第四コーナー部Ａ４の拡大図である。
【００９９】
本実施形態に係る間仕切り構造によれば、パネル部材である第一パネルＰ１の上端辺の上下位置と、ポスト部材であるコーナーポスト１３における第一パネルＰ１の厚さ方向（図１３における紙面前後方向）に表出する面であるカバー部１３１の上端部の上下位置とが一致するように形成されている。詳細には図１３に示す如く、第一パネルＰ１の上端部と天井Ｃとの幅寸法である第十三高さＨ１３と、コーナーポスト１３におけるカバー部１３１の上端部と天井Ｃとの幅寸法である第十二高さＨ１２とが一致するように形成されているのである。
【０１００】
このように、本実施形態に係る間仕切り構造においては、第一パネルＰ１の上端部とコーナーポスト１３におけるカバー部１３１の上端部の高さを統一することにより、意匠性を向上させることを可能としている。
【０１０１】
また、本実施形態に係る間仕切り構造によれば、パネル部材である第一パネルＰ１の上端辺の上下位置と、枠体である戸尻枠１４における第一パネルＰ１の厚さ方向に表出する面である前側膨出部４１の上端部の上下位置とが一致するように形成されている。詳細には図１３に示す如く、第十三高さＨ１３と、戸尻枠１４における前側膨出部４１の上端部と天井Ｃとの幅寸法である第十一高さＨ１１とが一致するように形成されているのである。
【０１０２】
このように、本実施形態に係る間仕切り構造においては、第一パネルＰ１の上端部と戸尻枠１４における前側膨出部４１の上端部の高さを統一することにより、意匠性を向上させることを可能としている。
【０１０３】
また、本実施形態に係る間仕切り構造によれば、パネル部材である第一パネルＰ１の上端辺の上下位置と、開き戸１７を支持する開き戸上枠１６の上端辺の上下位置とが一致するように形成されている。詳細には図１３に示す如く、第十三高さＨ１３と、開き戸上枠１６の上端部と天井Ｃとの幅寸法である第十高さＨ１０とが一致するように形成されているのである。このように、本実施形態に係る間仕切り構造においては、第一パネルＰ１の上端部と開き戸上枠１６の上端部の高さを統一することにより、意匠性を向上させることを可能としている。
【０１０４】
なお、本実施形態に係る間仕切り構造においては図１に示す如く、第十高さＨ１０〜第十三高さＨ１３に限らず、引戸７、戸袋８、又は、ガラスパネルＧを支持する上枠４及びガラス上枠Ｇｕ、及び、第二パネルＰ２の上端部と天井Ｃとの幅寸法が一致するように形成されている。このように、間仕切り構造を構成する全ての部材の上端部の高さを統一することにより、意匠性を向上させることを可能としている。
【符号の説明】
【０１０５】
１        巾木部材                 ２        天レール       
３        戸当り枠（枠体）
４        上枠                     ５        カバー部材     
７        引戸（扉本体）           ８        戸袋           
９        支柱                     ９ａ      係止部材       
１３        コーナーポスト（ポスト部材）
１４        戸尻枠（枠体）         １５        戸先枠（枠体） 
１６        開き戸上枠             １７        開き戸（扉本体）
１８ａ      ヒンジ                 １８ｂ      ヒンジ         
２３        コーナーポスト（ポスト部材の別実施例）
３０        枠本体部               ３１        前側膨出部     
３２        後側膨出部             ３３        被挿入口       
４０        枠本体部               ４１        前側膨出部     
４２        後側膨出部             ５０        枠本体部       
５１        前側膨出部             ５２        後側膨出部     
７４        引戸ガラス板           ７５        下側枠材       
７６        戸先側枠材             ７７        戸尻側枠材     
７８        戸先側シール部材      ７９        下側シール部材  
８０        戸袋枠                 ８１        下枠           
８２        戸袋ガラス板           ８３ａ      第一ガイドレール
８３ｂ      第二ガイドレール      ９１        取手            
９２        鍵                   １３０        ポスト本体部   
１３１        カバー部             １７１        戸先側枠材     
１７２        戸尻側枠材           １７３        上側枠材       
１７４        下側枠材             １７５        開き戸ガラス板 
１７６        ドアノブ             １７７        ドアボトム     
２３０        ポスト本体部         ２３１        第一カバー部   
２３２        第二カバー部             Ｃ        天井           
Ｆ        床面                     Ａ１      第一コーナー部 
Ａ２      第二コーナー部           Ａ３      第三コーナー部 
Ａ４      第四コーナー部           Ｐ１      第一パネル（パネル部材）
Ｐ２      第二パネル（パネル部材）
Ｐａ      被係止部                 Ｇ        ガラスパネル（パネル部材）
Ｇｓ      ガラス枠                 Ｇｄ      ガラス下枠     
Ｇｕ      ガラス上枠               ＧＰ      ガラス板       
Ｈ１      第一高さ                 Ｈ２      第二高さ       
Ｈ３      第三高さ                 Ｈ４      第四高さ       
Ｈ５      第五高さ                 Ｈ６      第六高さ       
Ｈ７      第七高さ                 Ｈ８      第八高さ       
Ｈ９      第九高さ                 Ｈ１０      第十高さ     
Ｈ１１      第十一高さ             Ｈ１２      第十二高さ   
Ｈ１３      第十三高さ   
【図１】
2020204198.tif 000003
【図２】
2020204198.tif 000004
【図３】
2020204198.tif 000005
【図４】
2020204198.tif 000006
【図５】
2020204198.tif 000007
【図６】
2020204198.tif 000008
【図７】
2020204198.tif 000009
【図８】
2020204198.tif 000010
【図９】
2020204198.tif 000011
【図１０】
2020204198.tif 000012
【図１１】
2020204198.tif 000013
【図１２】
2020204198.tif 000014
【図１３】
2020204198.tif 000015